(57)【要約】      （修正有）【課題】使用者の好みや使用状況によって操作性を変更できる角度計を提供する。【解決手段】角度計１は、第１のアーム部１０と、第１のアーム部１０に対して相対回転可能に設けられる第２のアーム部２０と、第１のアーム部１０と第２のアーム部２０との間の回転抵抗を調整する調整手段４０と、を備える。【選択図】図２
2016080395.tif 000002
【特許請求の範囲】
【請求項１】
第１のアーム部と、
前記第１のアーム部に対して相対回転可能に設けられる第２のアーム部と、
前記第１のアーム部と前記第２のアーム部との間の回転抵抗を調整する調整手段と、
を備えることを特徴とする角度計。
【請求項２】
前記第１のアーム部と該第１のアーム部に重ねて配置される前記第２のアーム部とを相対回転可能に支持する軸部を更に備え、
前記調整手段は、前記第２のアーム部が重なる側とは反対側で前記第１のアーム部に重ねて配置されると共に、前記軸部に回動可能に支持され、
前記調整手段の回動によって前記回転抵抗が調整されることを特徴とする請求項１に記載の角度計。
【請求項３】
前記第１のアーム部には、深さが変化する溝部が形成され、
前記調整手段は、前記溝部と係合する係合凸部を有することを特徴とする請求項２に記載の角度計。
【請求項４】
前記溝部は、段階的に深さが変化する複数の凹部が連なった構成であり、
前記係合凸部は、前記複数の凹部のそれぞれと係合可能に設けられていることを特徴とする請求項３に記載の角度計。
【請求項５】
前記溝部及び前記係合凸部は、それぞれ、複数設けられていることを特徴とする請求項３又は４に記載の角度計。
【請求項６】
前記第１のアーム部と前記第２のアーム部とのうちのいずれか一方には角度目盛りが設けられ、他方には角度読取用のラインが設けられていることを特徴とする請求項１から５のいずれか１項に記載の角度計。
【発明の詳細な説明】
【技術分野】
【０００１】
本発明は、例えば関節可動域の計測等を行うために用いられる角度計に関する。
【背景技術】
【０００２】
従来、例えば、リハビリテーションが行われる施設や、整形外科等の病院において、人の関節可動域を定量的に測定するために、角度計（ゴニオメーター）が使用されている。例えば、腕の関節可動域の測定や、手指の関節可動域の測定等に角度計が使用されている。
【０００３】
従来の角度計は、例えば特許文献１等に開示されるように、軸部を中心として相対回転可能に設けられた２つのアーム部を備える。２つのアーム部のうちの一方には、角度目盛りが設けられており、当該角度目盛りを利用して２つのアーム部間の角度が測定できるようになっている。各アーム部を身体の各測定部にあてがったときの２つのアーム部のなす角を読み取ることによって、関節可動域の定量的な測定ができる。
【先行技術文献】
【特許文献】
【０００４】
【特許文献１】特開２０１３−７６６８６号公報
【発明の概要】
【発明が解決しようとする課題】
【０００５】
ところで、角度計を利用して関節可動域の測定を行う者（例えば医者等）の中には、２つのアーム部が相対回転し易い状態で使用することを好む者も居れば、２つのアーム部が簡単に相対回転してしまわない状態で使用することを好む者も居る。また、同じ使用者（医者等の角度計の使用者）であっても、使用状況によってアーム部の回転し易さを変更できる方が便利であると考える者も居る。
【０００６】
以上の点に鑑みて、本発明の目的は、使用者の好みや使用状況によって操作性を変更できる角度計を提供することである。
【課題を解決するための手段】
【０００７】
上記目的を達成するために本発明の角度計は、第１のアーム部と、前記第１のアーム部に対して相対回転可能に設けられる第２のアーム部と、前記第１のアーム部と前記第２のアーム部との間の回転抵抗を調整する調整手段と、を備える構成（第１の構成）になっている。
【０００８】
本構成によれば、第１のアーム部と第２のアーム部との間の回転抵抗を調整する調整手段を利用することによって、第１のアーム部と第２のアーム部との間の相対回転のし易さを簡単に変更することが可能である。このために、本構成によれば、使用者の好みや使用状況によってアーム部の操作性を簡単に変更可能である。
【０００９】
上記第１の構成の角度計は、前記第１のアーム部と該第１のアーム部に重ねて配置される前記第２のアーム部とを相対回転可能に支持する軸部を更に備え、前記調整手段は、前記第２のアーム部が重なる側とは反対側で前記第１のアーム部に重ねて配置されると共に、前記軸部に回動可能に支持され、前記調整手段の回動によって前記回転抵抗が調整される構成（第２の構成）であってよい。本構成によれば、軸部周りに調整手段を取り付けて、角度計が不必要に大型化することを避けられる。
【００１０】
上記第２の構成の角度計において、前記第１のアーム部には、深さが変化する溝部が形成され、前記調整手段は、前記溝部と係合する係合凸部を有する構成（第３の構成）であってよい。本構成によれば、係合凸部と係合する溝部の深さが変化するために、調整手段の回動によって、係合凸部が第１のアーム部を押圧する力を変化させることができる。このために、本構成によれば、第１のアーム部と第２のアーム部との間の回転抵抗を簡単に変更できる。
【００１１】
上記第３の構成の角度計において、前記溝部は、段階的に深さが変化する複数の凹部が連なった構成であり、前記係合凸部は、前記複数の凹部のそれぞれと係合可能に設けられている構成（第４の構成）であってよい。本構成によれば、第１のアーム部と第２のアーム部との間の回転抵抗を段階的に切り換えられるので便利である。また、本構成によれば、第１のアーム部と第２のアーム部との間の回転抵抗の調整が完了した段階で、係合凸部が凹部に嵌め込まれた状態にできる。このために、調整手段が勝手に回動して、第１のアーム部と第２のアーム部との間の回転抵抗が勝手に望まない状態になることを避けられる。
【００１２】
上記第３又は第４の構成の角度計において、前記溝部及び前記係合凸部は、それぞれ、複数設けられている構成（第５の構成）であってよい。本構成によれば、調整手段を設けたことによって、第１のアーム部と第２のアーム部との間にバランスの悪い力が加わってしまう事態を避け易い。
【００１３】
上記第１から第５のいずれかの構成の角度計において、前記第１のアーム部と前記第２のアーム部とのうちのいずれか一方には角度目盛りが設けられ、他方には角度読取用のラインが設けられている構成（第６の構成）が採用されてよい。
【発明の効果】
【００１４】
本発明によれば、使用者の好みや使用状況によって操作性を変更できる角度計を提供可能である。
【図面の簡単な説明】
【００１５】
【図１】本発明の実施形態に係る角度計の構成を示す概略平面図
【図２】本発明の実施形態に係る角度計の使用例を示す概略図
【図３】本発明の実施形態に係る角度計が備える第１のアーム部の構成を示す概略図
【図４】本発明の実施形態に係る角度計が備える第２のアーム部の構成を示す概略図
【図５】本発明の実施形態に係る角度計が備える調整つまみの構成を示す概略図
【図６】本発明の実施形態に係る角度計が備える軸部に含まれる軸部材の構成を示す概略図
【図７】本発明の実施形態に係る角度計において、軸部が、第１のアーム部、第２のアーム部、及び、調整つまみを支持する構造を示す概略断面図
【発明を実施するための形態】
【００１６】
以下、本発明の実施形態に係る角度計について、図面を参照しながら詳細に説明する。
【００１７】
図１は、本発明の実施形態に係る角度計１の構成を示す概略平面図である。図１（ａ）は上面図で、図１（ｂ）は側面図である。図１に示すように、角度計１は、角度目盛り１１が印刷された第１のアーム部１０と、角度読取用のライン２１が印刷された第２のアーム部２０と、を備えている。角度目盛り１１と角度読取用のライン２１との関係から、第１のアーム部１０と第２のアーム部２０とのなす角度がわかる。なお、図１（ａ）は、第１のアーム部１０と第２のアーム部２０とのなす角が０°の場合を示している。
【００１８】
図１（ｂ）に示すように、第１のアーム部１０と第２のアーム部２０とは、第１のアーム部１０が上、第２のアーム部２０が下となるように重ねられている。なお、この重ね方は一例にすぎず、第１のアーム部１０が下、第２のアーム部２０が上となるように重ねられても構わない。また、第１のアーム部１０と第２のアーム部２０とは、軸部３０によって相対回転可能に支持されている。すなわち、第１のアーム部１０と第２のアーム部２０とがなす角は適宜変更することができる。
【００１９】
図２は、本発明の実施形態に係る角度計１の使用例を示す概略図である。図２に示すように、第１のアーム部１０と第２のアーム部２０とを相対回転させながら、これらを腕の上腕Ａ１と前腕Ａ２とに対して適切に配置することによって、肘関節の可動域を測定することができる。なお、角度計１は、腕の関節角度に限らず、体の他の部分の関節角度の測定にも勿論使用できる。
【００２０】
ところで、本実施形態の角度計１は、第１のアーム部１０と第２のアーム部２０との間の相対回転のし易さを調整できる点に特徴を有する。以下、この点が理解できるように、角度計１に含まれる各部材の構成について更に詳細に説明する。
【００２１】
図３は、本発明の実施形態に係る角度計１が備える第１のアーム部１０の構成を示す概略図である。図３（ａ）は上面図で、図３（ｂ）は図３（ａ）のＸ−Ｘ位置における断面図である。また、図３（ｃ）は、第１のアーム部１０に形成される溝部１２の構成を説明するための図で、上段は溝部１２の拡大平面図で、下段は溝部１２の断面を側面から見た場合の概略図である。なお、図３においては、第１のアーム部１０に印刷される角度目盛り１１は省略されている。
【００２２】
図３に示すように、第１のアーム部１０は、分度器と直線定規とが連結されたような形状のプレートによって構成されている。特に限定する趣旨ではないが、第１のアーム部１０は、例えば透明樹脂によって形成できる。第１のアーム部１０の分度器形状に形成される部分には、軸部３０を挿通させるための貫通穴１３が形成される。また、第１のアーム部１０の上面には、貫通穴１３を囲むように上面視略バナナ形状の一対の溝部１２が形成される。一対の溝部１２は、貫通穴１３を中心として点対称な関係にある。
【００２３】
図３（ｃ）に示すように、溝部１２は、深さの異なる複数（本例では５つ）の凹部１２１ａ〜１２１ｅが円弧状に連なった構成になっている。各凹部１２１ａ〜１２１ｅの形状は、上面視略バナナ状（換言するとドーナツを複数の小片に分けたような形状）になっている。
【００２４】
一端部側（図３（ｃ）において左側）に位置する第１の凹部１２１ａの深さが最も小さく、他端部側に向かって（図３（ｃ）では時計回り方向に）、段階的に深さが大きくなっている。すなわち、第１のアーム部１０の上面からの深さが、第１の凹部１２１ａよりも第２の凹部１２１ｂの方が深く、第２の凹部１２１ｂよりも第３の凹部１２１ｃの方が深く、第３の凹部１２１ｃよりも第４の凹部１２１ｄの方が深く、第４の凹部１２１ｄよりも第５の凹部１２１ｅの方が深くなっている。
【００２５】
なお、各凹部間には隔壁１２２が存在する。また、第１の凹部１２１ａの隣には、溝部１２に係合する要素が溝部１２から逸脱してしまうのを防止するストッパー壁１２３が設けられている。ストッパー壁１２３は、場合によっては設けなくてもよい。
【００２６】
図４は、本発明の実施形態に係る角度計１が備える第２のアーム部２０の構成を示す概略図である。図４（ａ）は上面図で、図４（ｂ）は図４（ａ）のＹ−Ｙ位置における断面図である。なお、図４においては、第２のアーム部２０に印刷される角度読取用のライン２１は省略されている。
【００２７】
図４に示すように、第２のアーム部２０は、平面視略長方形状のプレートによって構成されている。本実施形態では、第２のアーム部２０の長手方向（図４において左右方向）の長さは、一例として、第１のアーム部１０の長手方向の長さと同じにしている。また、第２のアーム部２０の短手方向（図４において上下方向）の長さは、第１のアーム部１０の直線定規形状の部分の短手方向の長さと同じにしている。また、第２のアーム部２０には、第１のアーム部１０の貫通穴１３に対応した位置に、軸部３０を挿通させるための貫通穴２２が形成されている。なお、特に限定する趣旨ではないが、第２のアーム部２０は、例えば白色樹脂によって形成できる。
【００２８】
図５は、本発明の実施形態に係る角度計１が備える調整つまみ４０の構成を示す概略図である。図５（ａ）は下面図で、図５（ｂ）は図５（ａ）のＺ−Ｚ位置における断面図である。調整つまみ４０は、図１に示すように、第１のアーム部１０の上面側（第２のアーム部２０が重ねられる側と反対側）に重ねて配置されると共に、軸部３０に回動可能に支持される。調整つまみ４０は、第１のアーム部１０と第２のアーム部２０との間の回転抵抗を調整する手段として使用される。
【００２９】
図５に示すように、調整つまみ４０はドーナツ形状に形成され、中央部に設けられる貫通穴４１に軸部３０（例えば図１参照）が挿通される。調整つまみ４０の下面には、図５（ａ）に示すように、一対の係合凸部４２が対称配置されている。一対の係合凸部４２の形状は、第１のアーム部１０に設けられる溝部１２の各凹部１２１ａ〜１２１ｅに嵌り込むことができる形状であればよく、本実施形態では、一例として平面視略バナナ状（換言するとドーナツを複数の小片に分けたような形状）を採用している。
【００３０】
なお、係合凸部４２は、第１のアーム部１０に溝部１２が２つ形成されていることに対応させて２つとされている。
【００３１】
図６及び図７を参照して、軸部３０による、第１のアーム部１０、第２のアーム部２０、及び、調整つまみ４０の支持構造について説明する。図６は、本発明の実施形態に係る角度計１が備える軸部３０に含まれる軸部材３１の構成を示す概略図である。図６（ａ）は上面図、図６（ｂ）は側面図である。図７は、本発明の実施形態に係る角度計１において、軸部３０が、第１のアーム部１０、第２のアーム部２０、及び、調整つまみ４０を支持する構造を示す概略断面図である。
【００３２】
図６及び図７に示すように、軸部３０は、円筒部３１１と、円筒部３１１の一端（下端）に設けられるフランジ部３１２とを備える軸部材３１を含む。この軸部材３１の円筒部３１１を、第２のアーム部２０の貫通穴２２、第１のアーム部１０の貫通穴１３、調整つまみ４０の貫通穴４１に順に挿通する。その後、円筒部３１１にＯリング３２が取り付けられ、軸部材３１にリベット３３を取り付ける。これにより、２つのアーム部１０、２０及び調整つまみ４０が軸部材３１から脱落するのを防止して、軸部３０によって２つのアーム部１０、２０及び調整つまみ４０を回動可能に支持できる。
【００３３】
なお、Ｏリング３２は、場合によっては設けなくてもよい。また、本実施形態では、軸部３０が軸部材３１とリベット３３とを含む構成とした。このように構成することで、角度計１の厚みを一定とし易い。ただし、軸部３０は、場合によっては１つの部材で構成されても構わない。
【００３４】
例えば、角度計１の組み立て時に、調整つまみ４０の係合凸部４２が、第１のアーム部１０の溝部１２の一番深い第５の凹部１２１ｅに嵌り込んだ状態になるように組み立てる。そして、この状態においては、第１のアーム部１０と第２のアーム部２０との間の回転抵抗は殆ど生じないように、部材の厚みや溝の深さを調整する。
【００３５】
このように構成すると、角度計１の使用者（医者等）は、調整つまみ４０の係合凸部４２と溝部１２の第５の凹部１２１ｅとが係合した状態にすることによって、第１のアーム部１０と第２のアーム部２０との相対回転を容易に行える。このような状態は、例えば、角度計１を片手で使用したい場合等に便利である。
【００３６】
一方、第１のアーム部１０と第２のアーム部２０との間の回転抵抗があまりにもない状態では、使用し難い場合も有り得る。例えば関節角度を正確に測りたい場合等には、第１のアーム部１０と第２のアーム部２０との間の相対回転が簡単に生じて欲しくない。このような場合には、使用者は、調整つまみ４０を回して、係合凸部４２を深さが浅めの凹部に係合させる。これにより、第１のアーム部１０と第２のアーム部２０との間の回転抵抗が増し、２つのアーム部１０、２０間の角度を任意の位置で固定できるようになる。
【００３７】
また、角度計を使用する者が違うと、第１のアーム部１０と第２のアーム部２０との間の相対回転のし易さに対する好みが違ってくることがある。この点、本実施形態の角度計１では、好みに応じて工具を使うことなく、簡単に相対回転のし易さを調整できる。このために、本実施形態の角度計１は、非常に使い勝手が良い。
【００３８】
本実施形態の角度計１では、凹部間に設けられる隔壁１２２やＯリング３２の存在により、係合凸部４２は、係合中の凹部（凹部１２１ａ〜１２１ｅのいずれか）から簡単にずれてしまう（係合解消してしまう）ことはない。また、本実施形態の角度計１では、凹部間に設けられる隔壁１２２の存在のために、調整つまみ４０を回して回転抵抗が変更されたことを実感し易い。
【００３９】
以上に示した実施形態は、本発明の例示にすぎない。以上に示した実施形態の構成は、本発明の技術的思想を超えない範囲で適宜変更されて構わない。
【００４０】
例えば、以上に示した実施形態では、溝部１２の数を２つとしたが、溝部１２の数は２つに限らず、その数は適宜変更して構わない。なお、溝部１２の数を変更した場合には、調整つまみ４０の係合凸部４２の数も変更する必要がある。また、溝部１２に設ける凹部１２１ａ〜１２１ｅの数は複数であればよく、その数は適宜変更されて構わない。
【００４１】
また、以上に示した実施形態では、溝部１２が、深さの異なる複数の凹部１２１ａ〜１２１ｅが連なった構成であることとした。この構成は一例であり、第１のアーム部１０に設けられる溝部は、例えば、底面が階段状に形成されて深さが段階的に変わる構成としたり、底面がテーパー状に設けられて深さが徐々に変わる構成としたりしてもよい。なお、溝部の構造の変更に伴って、調整つまみ４０に設ける係合凸部の形状は適宜変更してよい。
【００４２】
また、調整つまみ４０に設けられる係合凸部４２と係合する溝部１２は、第１のアーム部１０ではなく、第２のアーム部２０に設けられてもよい。この場合には、調整つまみ４０は、第２のアーム部２０上に重ねて配置されるようにすればよい。
【００４３】
また、以上に示した実施形態では、第１のアーム部１０に溝部１２が設けられ、調整つまみ４０に係合凸部４２が設けられる構成にした。これに限らず、第１のアーム部１０に係合凸部が設けられ、調整つまみ４０に溝部が設けられる構成としてもよい。
【００４４】
また、以上に示した実施形態では、角度計１を構成する２つのアーム部がプレート状に形成される構成とした。しかし、本発明の適用範囲は、この構成に限定されるものではない。２つのアーム部が、例えば円柱部材等で形成される場合にも本発明は適用可能である。
【符号の説明】
【００４５】
１  角度計
１０  第１のアーム部
１１  角度目盛り
１２  溝部
２０  第２のアーム部
２１  角度読取用のライン
３０  軸部
４０  調整つまみ（調整手段）
４２  係合凸部
１２１ａ、１２１ｂ、１２１ｃ、１２１ｄ、１２１ｃ  凹部
【図１】
2016080395.tif 000003
【図２】
2016080395.tif 000004
【図３】
2016080395.tif 000005
【図４】
2016080395.tif 000006
【図５】
2016080395.tif 000007
【図６】
2016080395.tif 000008
【図７】
2016080395.tif 000009